(57)【要約】【課題】  運転者が見たいときに簡単に課金に関する情報を確認することができる車載用計測器を提供すること。【解決手段】  車載用計測器１は、無線通信を利用した有料道路の課金システム用のＩＣカード３が挿入されてＩＣカード３に課金に関する情報の読み込み及び書き込みを行うＩＣカードリーダ・ライタ４を有するとともに、課金に関する情報をメータ情報を表示するオド・トリップ表示部１１に表示可能であって、ＩＣカードリーダ・ライタ４にＩＣカード３が挿入されてから所定の時間内にトリップリセットボタン１０が操作されたときは課金に関する情報をオド・トリップ表示部１１に表示させる。【選択図】      図３
2005088619.tif 000002
【特許請求の範囲】
【請求項１】
無線通信を利用した有料道路の課金システム用のカードが挿入されて前記カードに課金に関する情報の読み込み及び書き込みを行うカードリーダ・ライタを有するとともに、前記課金に関する情報をメータ情報を表示する表示部に表示可能な車載用計測器であって、
前記カードリーダ・ライタに前記カードが挿入されてから所定の時間内にボタンが操作されたときは前記課金に関する情報を前記表示部に表示させることを特徴とする車載用計測器。
【請求項２】
前記ボタンはトリップカウンタのリセットを指示するためのトリップリセットボタンであることを特徴とする請求項１に記載の車載用計測器。
【請求項３】
前記表示部は走行距離情報を表示するためのオド・トリップ表示部であることを特徴とする請求項１又は請求項２に記載の車載用計測器。
【発明の詳細な説明】
【技術分野】
【０００１】
本発明は、無線通信を利用した有料道路の課金システムに用いられる車載器を備えた車載用計測器に関する。
【背景技術】
【０００２】
近年、無線通信を利用して有料道路を通行する自動車等に通行料金の課金を行うシステムとして、自動料金収受システム（ＥＴＣ（登録商標）システム）が普及している。このＥＴＣシステムを利用するためには、有料道路の料金所等に設けられたアンテナから通行料金の情報を受信し課金処理を行うためのＥＴＣ用車載器を自動車等の車両に搭載する必要があるが、このようなＥＴＣ用車載器が一体に組み込まれている車載用計測器が従来から知られている（例えば、特許文献１参照。）。
【０００３】
この特許文献１に記載の電子表示ユニット（車載用計測器）では、オド・トリップ表示器は自動車等が料金所に入るまでの通常時には走行距離情報の表示を行う一方、自動車等が料金所に差しかかりＥＴＣ用車載器が料金所に設けられたアンテナから通行料金の情報を受信したときは課金料金及びこの課金料金を差し引いた後のＥＴＣ用ＩＣカードの残高等のＥＴＣ情報（課金に関する情報）を表示するようになっている。この電子表示ユニットはオド・トリップ表示器にＥＴＣ情報を表示することにより、別体のＥＴＣ用車載器にＥＴＣ情報を表示するための専用の表示部を設けたものと比べて、ＥＴＣ情報を非常に見やすい位置に表示することができる。
【特許文献１】特開２０００−３３９５０２号公報
【発明の開示】
【発明が解決しようとする課題】
【０００４】
しかしながら、この従来の電子表示ユニットでは、自動車等が料金所を通る際の所定の時間内にしか課金料金及びＩＣカードの残高等のＥＴＣ情報が表示されないため、運転者はその間にオド・トリップ表示器を見逃してしまうとＥＴＣ情報を確認することができないという問題がある。
【０００５】
本発明は、このような問題に鑑みてなされたもので、運転者が見たいときに簡単に課金に関する情報（ＥＴＣ情報）を確認することができる車載用計測器を提供することを課題としている。
【課題を解決するための手段】
【０００６】
このような課題を解決するために、請求項１に記載の発明は、無線通信を利用した有料道路の課金システム用のカードが挿入されて前記カードに課金に関する情報の読み込み及び書き込みを行うカードリーダ・ライタを有するとともに、前記課金に関する情報をメータ情報を表示する表示部に表示可能な車載用計測器であって、前記カードリーダ・ライタに前記カードが挿入されてから所定の時間内にボタンが操作されたときは前記課金に関する情報を前記表示部に表示させることを特徴とする。
【０００７】
請求項２に記載の発明は、請求項１に記載の発明において、前記ボタンはトリップカウンタのリセットを指示するためのトリップリセットボタンであることを特徴とする。
【０００８】
請求項３に記載の発明は、請求項１又は請求項２に記載の発明において、前記表示部は走行距離情報を表示するためのオド・トリップ表示部であることを特徴とする。
【発明の効果】
【０００９】
請求項１の発明によれば、カードリーダ・ライタにカードが挿入されてから所定の時間内にボタンが操作されたときは課金に関する情報を表示部に表示させることとしたので、運転者は課金に関する情報を見たいと思ったときは、カードをカードリーダ・ライタに挿入して所定の時間内にボタンを押すだけでよく、見たいときに簡単に課金に関する情報を確認することができる。
【００１０】
請求項２の発明によれば、ボタンはトリップリセットボタンであることとしたので、課金に関する情報を表示させるための専用のボタンをわざわざ設ける必要がなく、部品点数を少なくできコストの低減を図ることができる。
【００１１】
請求項３の発明によれば、表示部はオド・トリップ表示部であることとしたので、課金に関する情報を非常に見やすい位置に表示することができ、実用的で便利である。
【発明を実施するための最良の形態】
【００１２】
以下、図面を参照して本発明の実施の形態について説明する。図１は本発明の実施の形態に係る車載用計測器を示す。この車載用計測器１は、自動車の車両の運転席正面に設けられるスピードメータ、タコメータ等のコンビネーションメータである。また、有料道路の料金所等に設けられたアンテナから通行料金の情報を受信し課金処理を行う機能を有し、メータ本体２の下部にはＥＴＣ用のＩＣカード（カード）３が挿入されるＩＣカードリーダ・ライタ（カードリーダ・ライタ）４を備えている。
【００１３】
メータ本体２のメータハウジング５前面には透明なフロントパネル６が装着され、またこのメータハウジング５の内部は目盛板７によって前面室８と、背面室９とに区画されている。
【００１４】
前面室８には、トリップリセットボタン（ボタン）１０と、オド・トリップ表示部（表示部）１１とが設けられている。また、背面室９には、図２に示す通信部１２と、制御部１３とが内蔵されている。
【００１５】
トリップリセットボタン１０は、所定区間の走行距離をカウントする２つの図示を略すトリップカウンタ（例えばトリップカウンタＡ及びトリップカウンタＢ）等にかかわる指示ボタンであり、制御部１３に接続されている。このトリップリセットボタン１０は、通常の状態で押し続けられる時間の長短によって、例えば短く押された場合はオド・トリップ表示部１１に表示される走行距離情報を２つのトリップカウンタ間で切り換えるよう指示する一方、長押しされた場合はその時点でオド・トリップ表示部１１に表示されているトリップカウンタのリセットを指示する。また、ＩＣカード３がＩＣカードリーダ・ライタ４に挿入された後の所定の時間内に押された場合には、押し続けられる時間の長短にかかわらず、オド・トリップ表示部１１にＥＴＣ情報（課金に関する情報）の表示を指示するようになっている。ここで所定の時間とは、制御プログラムにおいてあらかじめ設定された時間であり、例えばここでは１０秒とする。
【００１６】
オド・トリップ表示部１１は、制御部１３の制御に基づいて、車載用計測器１が搭載された自動車が料金所に入るまでの通常時には走行距離情報表示を行う一方、自動車が料金所に差しかかり、アンテナ１４が料金所に設けられたアンテナから通行料金の情報を受信した時は課金料金及びこの課金料金を差し引いた後のＩＣカード３の残高等のＥＴＣ情報を表示するようになっている。また、ＩＣカード３がＩＣカードリーダ・ライタ４に挿入された後所定の時間内にトリップリセットボタン１０が押された場合はＥＴＣ情報を表示するようになっている。
【００１７】
通信部１２は、アンテナ１４を介して有料道路の料金所等に設けられたアンテナから通行料金の情報を受信し、その情報を制御部１３に入力するようになっている。
【００１８】
制御部１３は、記憶部１５に格納された制御プログラムに従って車載用計測器１の動作全体を制御する。例えば、制御部１３は通常時は走行距離検出部１６から走行距離に関する情報を受けてオド・トリップ表示部１１に走行距離情報を表示させる一方、通信部１２から通行料金の情報が入力されると、この情報に基づいてＩＣカード３から課金料金を差し引き、その残高をＩＣカード３に記憶させるとともに、課金料金及び残高等のＥＴＣ情報をオド・トリップ表示部１１に表示させる。さらに、ＩＣカード３がＩＣカードリーダ・ライタ４に挿入された後所定の時間内にトリップリセットボタン１０が押された場合もオド・トリップ表示部１１にＥＴＣ情報を表示させるように制御する。
【００１９】
図３は、ＩＣカード３が挿入された場合の車載用計測器１の動作を説明するフローチャートである。まず、車載用計測器１の制御部１３はＩＣカードリーダ・ライタ４にＩＣカード３が挿入されたことを検知すると（Ｓ１）、図示を略すタイムカウンタのタイムカウントを開始する（Ｓ２）。つぎに、制御部１３はトリップリセットボタン１０が押されたか否か（操作されたか否か）を判断し（Ｓ３）、押されたと判断した場合はステップＳ４でタイムカウンタのカウント時間があらかじめ定められた所定時間内か否かを判断する一方、押されていないと判断した場合はステップＳ５でタイムカウンタのカウント時間が所定時間内か否かを判断する。例えば、本実施の形態では所定時間を１０秒としたので、ステップＳ４又はステップＳ５において、制御部１３はタイムカウンタのカウント時間が１０秒以内か否かを判断する。
【００２０】
ステップＳ４において、タイムカウンタのカウント時間が１０秒以内であると判断された場合は、制御部１３はタイムカウンタをリセットして再度開始しつつ（Ｓ６）、ＥＴＣ情報をオド・トリップ表示部１１に表示させる（Ｓ７）。このＥＴＣ情報はＩＣカードリーダ・ライタ４によってＩＣカード３から読み込まれ、制御部１３に入力される。制御部１３はこのＥＴＣ情報をオド・トリップ表示部１１に出力する。また、オド・トリップ表示部１１に表示されるＥＴＣ情報は最新のものだけでなく、その履歴も含む情報であってもよい。そして、ステップＳ３に戻る。
【００２１】
ここで、ステップＳ６においてタイムカウンタをリセットすることにより、ステップＳ３においてトリップリセットボタン１０が押されたときからタイムカウントが新たに再スタートし、その後１０秒以内にトリップリセットボタン１０が押される限り、オド・トリップ表示部１１にはＥＴＣ情報が表示される。
【００２２】
ステップＳ４において、タイムカウンタのカウント時間が１０秒以内でないと判断された場合は、制御部１３はトリップリセットボタン１０が短押しされたか長押しされたか判断して、短押しされたときは２つのトリップカウンタ間でオド・トリップ表示部１１に表示される走行距離情報を切り換え（トリップカウンタＡ，Ｂ間の切換・表示）、あるいは長押しされたときはそのときオド・トリップ表示部１１に表示されているトリップカウンタをリセットして再度開始し（トリップカウンタのリセット・表示）（Ｓ８）、走行距離情報をオド・トリップ表示部１１に表示させて（Ｓ９）処理を終了する。
【００２３】
一方、ステップＳ５において、タイムカウンタのカウント時間が１０秒以内であると判断された場合は、制御部１３は走行距離情報をオド・トリップ表示部１１に表示させる（Ｓ１０）。そして、ステップＳ３に戻る。
【００２４】
ステップＳ５において、タイムカウンタのカウント時間が１０秒以内でないと判断された場合は、制御部１３は走行距離情報をオド・トリップ表示部１１に表示させて（Ｓ９）処理を終了する。
【００２５】
この実施の形態に係る車載用計測器１では、ＩＣカード３をＩＣカードリーダ・ライタ４に挿入してから所定の時間内（１０秒以内）にトリップリセットボタン１０が押されたときは、オド・トリップ表示部１１にＥＴＣ情報が表示されるので、運転者はＥＴＣ情報を見たいと思ったときは、ＩＣカード３をＩＣカードリーダ・ライタ４に挿入して所定の時間内にトリップリセットボタン１０を押すだけでよく、運転者は任意に見たいときに簡単にＥＴＣ情報を確認することができる。
【００２６】
なお、本発明は上述した実施の形態に限られるものではなく、例えば車載用計測器１は自動車用として説明したが、これに限られず、例えば二輪車であってもよい。
【００２７】
また、タイムカウンタのカウント時間が所定の時間内か否かを運転者が一目見て把握できるように、タイムカウンタのカウント時間を示すタイムカウンタ表示部を前面室８内に設けてもよい。このタイムカウンタ表示部を見ることによって、運転者はトリップリセットボタン１０を押せば、オド・トリップ表示部１１にＥＴＣ情報が表示されるのか、又はトリップカウンタにかかわる操作がなされるのか（トリップカウンタＡ，Ｂ間の切換・表示又はトリップカウンタのリセット・表示）が容易に判断できる。
【００２８】
さらに、ＥＴＣ情報の表示を指示するボタンはトリップリセットボタン１０であるとして説明したが、これに限られず、車載用計測器１に設けられたボタンであればよい。ただし、本実施の形態のトリップリセットボタン１０のように、他の機能を有するボタンを兼用することとすれば、ＥＴＣ情報を表示させるための専用のボタンをわざわざ設ける必要がなく、部品点数を少なくできコストの低減を図ることができる。
【００２９】
また、ＥＴＣ情報を表示する表示部はオド・トリップ表示部１１であるとしたが、メータ情報を表示するものであれば、例えば車速を表示する表示部等であってもよい。このように、ＥＴＣ情報をオド・トリップ表示部１１等の表示部に表示させることとしたので、ＥＴＣ情報を非常に見やすい位置に表示することができ、実用的で便利である。
【図面の簡単な説明】
【００３０】
【図１】本実施の形態に係る車載用計測器を示す斜視図である。
【図２】図１の車載用計測器を説明するためのブロック図である。
【図３】ＩＣカードが挿入された場合の車載用計測器の動作を説明するフローチャートである。
【符号の説明】
【００３１】
１          車載用計測器
３          ＩＣカード（カード）
４          ＩＣカードリーダ・ライタ（カードリーダ・ライタ）
１０        トリップリセットボタン（ボタン）
１１        オド・トリップ表示部（表示部）
【図１】
2005088619.tif 000003
【図２】
2005088619.tif 000004
【図３】
2005088619.tif 000005